(57)【要約】  本発明は、被覆材料１００と、光２１０を発生する照明システム２００とを有する壁又は天井被覆構成１０を提供する。被覆材料１００は、ユーザ側１０１及び反対の裏側１０２を持つ。照明システム２００は、被覆材料１００の裏側１０２に配置され、被覆材料１００は、照明システム２００により発生される光２１０に対して、０．５％ないし３０％の範囲、特に１％ないし２０％の範囲の光透過率を持つ。
2013506245.tif 000002
【特許請求の範囲】
【請求項１】
ユーザ側及び反対の裏側を持つ被覆材料と、
前記被覆材料の裏側に設けられ、光を発生する照明システムと、
を有する壁又は天井被覆構成において、
前記被覆材料が、前記照明システムにより発生される光に対して、０．５％ないし３０％の範囲の光透過率を持ち、
前記被覆材料が、石膏及び壁紙からなるグループから選択された材料を有する、
壁又は天井被覆構成。
【請求項２】
前記被覆材料が、細礫岩及び結合剤を有する石膏を有する、請求項１に記載の壁又は天井被覆構成。
【請求項３】
前記被覆材料が、ビニル壁紙及びガラス繊維壁紙からなるグループから選択された壁紙を有する、請求項１に記載の壁又は天井被覆構成。
【請求項４】
前記壁又は天井被覆構成が、前記照明システムの少なくとも一部と前記被覆材料の少なくとも一部との間に配置された補助層を更に有し、前記補助層が、接着層、平滑化層、引っかき抵抗層及び液密層の１以上を有する、請求項１ないし３のいずれか一項に記載の壁又は天井被覆構成。
【請求項５】
前記照明システムが、複数の照明ユニットを有し、前記壁又は天井被覆構成が、前記照明システムを制御するコントローラを有する、請求項１ないし４のいずれか一項に記載の壁又は天井被覆構成。
【請求項６】
１以上の光源と、
前記１以上の光源を収容する１以上の凹所を持つプリント回路基板と、
を有する、請求項１ないし５のいずれか一項に記載の壁又は天井被覆構成。
【請求項７】
前記被覆材料に面する上側及び前記壁又は天井に面する裏側を有し、前記上側が接着促進特性を持つ、請求項１ないし５のいずれか一項に記載の壁又は天井被覆構成。
【請求項８】
請求項１ないし５のいずれか一項に記載の壁又は天井被覆構成において使用する照明システムにおいて、前記照明システムが、前記壁又は天井に隣接する第１の面と、前記被覆材料に隣接する第２の面とを持つ楔形の縁を有し、前記第１の面及び前記第２の面が６度より小さい角度φを囲む、照明システム。
【請求項９】
請求項１ないし５のいずれか一項に記載の壁又は天井被覆構成において使用する照明システムにおいて、前記照明システムが、プリント回路基板上に設けられた１以上の光源を有し、前記照明システムが、前記被覆材料に面する上側と、前記壁又は天井に面する裏側とを持ち、前記上側において、前記照明システムは、接着層、平滑化層及び保護層からなるグループから選択された１以上の補助層を有する、照明システム。
【請求項１０】
前記１以上の補助層が、液密保護層を有し、前記照明システムが、前記プリント回路基板に背を向ける前記液密保護層の側において液体輸送層を有する、請求項９に記載の照明システム。
【請求項１１】
道案内に対する請求項１ないし５のいずれか一項に記載の壁又は天井被覆構成の使用。
【請求項１２】
請求項１ないし５のいずれか一項に記載の壁又は天井被覆構成を有する道案内システム。
【請求項１３】
緊急出口発見システムである、請求項１２に記載の道案内システム。
【請求項１４】
請求項１ないし５のいずれか一項に記載の壁又は天井被覆構成を壁又は天井に設ける方法において、
前記壁又は天井に照明システムを配置するステップと、
前記照明システム上に被覆材料を加えるステップと、
を有する方法。
【請求項１５】
前記壁又は天井に１以上の凹所を設けるステップと、
前記１以上の凹所に前記照明システムを配置するステップと、
を有する、請求項１４に記載の方法。
【発明の詳細な説明】
【技術分野】
【０００１】
本発明は、壁又は天井被覆構成及びそれに使用する照明システムに関する。本発明は、壁又は天井被覆構成の使用及びこのような壁又は天井被覆構成を提供する方法にも関する。
【背景技術】
【０００２】
壁又は天井における照明システムは、当技術分野において既知である。
【０００３】
例えば、ＵＳ２００５／０２０１０８７は、従来のシステムが、建築物の構造内に効果的に一体化されることができるが、これら自体が壁又は構造物を構成しないことに取り組む。これは、ガラスに埋め込まれたＬＥＤシステムが、高価な問題であることを更に述べる。この文献は、サポートワイヤ及び前記サポートワイヤに取り付けられ、支持される照明タイルを有するシステムを提案し、前記照明タイルは、光源及びライトガイドを含む。この文献は、更に、光源と、前記光源に動作可能に接続されたライトガイドと、照明タイルをサポートワイヤに取り付ける取り付けユニットとを有する照明タイルを記載している。
【０００４】
ＵＳ２００８／０２６６８４３は、平面を持つ天井タイルと、前記天井タイルの平面の同じ面に沿って構成されるように前記天井タイルと一体化された少なくとも１つのＬＥＤ固定部とを有する組み合わせを記載している。更に、この文献は、１以上のＬＥＤが一体化された建築材料パネルを有する組み合わせを記載しており、前記１以上のＬＥＤは、前記建築材料パネルの対向する平面に対して突き出している。前記建築材料パネルは、天井パネル、床パネル、木の床材、積層床材、シートロック石膏ボード、壁板、れんが壁、れんが床材構造、石造壁、石造床構造及び繊維板からなるグループから選択される。
【発明の概要】
【発明が解決しようとする課題】
【０００５】
特に屋内照明に対して、代替的な照明システムを提供する要望が存在する。ＬＥＤの使用は、これらの小さな光源が新しい設計を可能にするので、近年、増加している。更に、光源の可視性を減少させる要望が存在することがわかっている。
【課題を解決するための手段】
【０００６】
本発明の第１の態様によると、照明機能（特にイルミネーション）及び壁又は天井被覆機能の両方を含む新しい壁又は天井被覆構成が提供される。この構成は、壁又は天井に適用されることができる。更に、領域又は部屋の中で、このシステムは、壁及び天井の両方に適用されることができる。
【０００７】
本発明の第１の態様による壁又は天井被覆構成（以下、"被覆構成"とも称される）は、（ａ）被覆材料と、（ｂ）光を発生する照明システムとを有し、前記被覆材料は、ユーザ側及び反対の裏側を持ち、前記照明システムは、前記被覆材料の裏側に配置され、前記被覆材料は、前記照明システムにより発生された光に対して、０．５％ないし３０％の範囲、特に１％ないし２０％の範囲の光透過率を持つ。
【０００８】
このような被覆材料は、観察者に対して前記照明システムを隠すことができるが、前記照明システムにより発生された光が前記被覆材料を貫通することを可能にする（以下も参照）。
【０００９】
一実施例において、本発明は、（ａ）被覆材料と、（ｂ）光を発生する照明システムとを有する壁又は天井被覆構成を提供し、前記被覆材料は、ユーザ側及び反対の裏側を持ち、前記照明システムは、前記被覆材料の裏側に配置され、前記被覆材料は、前記照明システムにより発生された光に対して、０．５％ないし３０％の範囲、特に１％ないし２０％の範囲の光透過率を持ち、前記被覆材料は、石膏、壁紙、塗料、セラミック、紙、木、プラスチック、布地、及びビニルからなるグループから選択された材料を有する。
【００１０】
特に、石膏は、このような材料が、前記照明システムを良好に隠すことができるのと同時に光が前記ユーザ側に位置するユーザ又は観察者に向かう方向に貫通することを可能にするので、関心がある。石膏層の厚さ、石膏内の粒子の粒子サイズ、特定のタイプの粒子の使用、結合剤の選択は、透過及び隠ぺい特性を調整するように選択されることができる（以下も参照）。特に適切な石膏は、石膏、スタッコ石膏、合成樹脂石膏、粗い石膏、石灰石膏及びベネチア石膏である。また、特に適しているのは、石顆粒、好ましくは大理石顆粒、及び結合剤、好ましくはラテックス結合剤及びアクリル樹脂結合剤からなるグループから選択された結合剤を有する石膏のような顆粒ベース石膏である。このようなタイプの石膏は、前記照明システムの光の所望の透過及び前記照明システムの所望の隠ぺいを提供するように特別に適用されることができるように見える。これらの石膏が良好に機能することができる理由は、光が、顆粒の間の開口を通ることができるからである。加えて、前記顆粒自体が、いくらかの光を透過することができる。石膏は、したがって、特に、光透過及び光出力機能を提供することができる。
【００１１】
代替的に、壁紙も、興味のある被覆材料である。特に、ビニル壁紙及びガラス繊維壁紙は、このような材料が前記照明システムを良好に隠すことができるが、前記ユーザ側に位置するユーザ又は観察者に向かう方向に光が貫通することを可能にすることもできるので、関心がある。更に、ビニル壁紙は、洗浄されるのが容易であり、したがって塗りなおされる必要が無い（そうでなければ光透過率を低下しうる）という利点を持つことができる。繊維ガラス壁紙は、高い耐熱性及び非可燃性の利点を持つことができ、これは、前記照明システムがより高い出力で駆動されることを可能にすることができる。
【００１２】
他の実施例において、本発明は、（ａ）被覆材料と、（ｂ）光を発生する照明システムとを有する壁又は天井被覆構成を提供し、前記被覆材料は、ユーザ側及び反対の裏側を持ち、前記照明システムは、前記被覆材料の裏側に配置され、前記被覆材料は、前記被覆材料が房のあるカーペットではないという条件で、又は前記被覆材料がカーペットではないという条件で、前記照明システムにより発生された光に対して、０．５％ないし３０％の範囲、特に１％ないし２０％の範囲の光透過率を持つ。したがって、一実施例において、前記被覆材料は、カーペットではない。用語"カーペット"は、ここでは（房のある）カーペットを参照するが、一実施例においては、（房のある）ラグ、及び他の実施例においては（房のある）ゴブリンをも参照しうる。用語"カーペット"は、実質的に（隣接した）（房のある）カーペットタイルの配列からなるカーペット領域のような、（房のある）カーペットタイルをも含みうる。
【００１３】
他の実施例において、本発明は、（ａ）被覆材料と、（ｂ）光を発生する照明システムとを有する壁又は天井被覆構成を提供し、前記被覆材料は、ユーザ側及び反対の裏側を持ち、前記照明システムは、前記被覆材料の裏側に配置され、前記被覆材料は、前記照明システムにより発生された光に対して、０．５％ないし３０％の範囲、特に１％ないし２０％の範囲の光透過率を持つ。前記壁又は天井被覆構成は、前記照明システムの少なくとも一部と前記被覆材料の少なくとも一部との間に配置された補助層を更に有し、前記補助層は、接着層、平滑化層、引っかき抵抗層、及び防水層のような液密層の１以上を有する。
【００１４】
前記補助層は、照明ユニットの間に配置されることができる。プリント回路基板（ＰＣＢ）のような基板から突き出している照明ユニット又は光源の間に配置されてもよい。前記補助層は、全体的な照明ユニット又は照明システムに配置されてもよい。
【００１５】
特に、前記補助層は、前記照明システムに付着されることができる接着層を有する。代替的には、前記照明システムと前記被覆材料との間の接着は、接着特性を持つ被覆材料を使用することにより達成されることもできる。例えば、前記被覆材料が石膏を有する場合、前記石膏自体は、接着性である（すなわち接着材料を有する及び／又は接着特性を持つ）ことができ、追加の接着層は、必要でなくてもよい。
【００１６】
前記被覆材料が、壁紙を有する場合、接着材料は、前記壁紙及び／又は前記照明システムに付着されうる。前記接着層は、両側接着特性を持つ層であることができ、一方の側は、前記照明システム、又は前記照明システム上に既に存在する補助層に接着するためであり、他方の側は、前記壁紙に接着するためである。これは、前記照明システムと前記壁紙との間の貧弱な接着の起こりうる問題を解決する。好ましくは、前記接着層は、開口を持たない薄い透明なホイルである。リリースライナが、前記接着層の上に存在してもよく、これは、前記照明システムが壁に設置された後に除去されることができる。
【００１７】
代替的には、壁紙ペーストが、接着材料として使用されてもよい。壁紙ペーストは、通常、水のような液体を有するので、液体輸送層は、前記壁紙ペーストが前記壁被覆構成の組み立て中に乾くことができることを保証するように前記照明システムと前記壁紙との間に設けられることができる。前記壁紙ペーストは、前記壁紙と前記液体輸送層との間に付着され、液体は、液密領域のような、前記壁紙ペーストの乾燥を防ぐ前記照明システムの領域から離れるように輸送されることができる。前記液体輸送層なしで、このような液密領域は、前記壁紙が乾燥することを適切に防ぐことができる。
【００１８】
壁紙ペーストは、特に水を有し、依然として湿っている場合に、腐食性であることができるので、（腐食に対する保護のための）水密性コーティングを液体輸送層と組み合わせることが好適である。
【００１９】
前記液体輸送層は、特に水輸送層である場合に、導電領域のような、水の存在により害を受ける可能性のある前記照明システムの領域から離れるように水を輸送することができるという追加の利点を持ちうる。例えば、湿った壁紙ペーストは、前記照明システムが回路基板及び前記回路基板を電気的に連結する銅テープを有する場合に、銅を酸化して緑色の酸化銅を形成することができ、前記湿った壁紙ペーストは、前記銅テープを緑色にし、前記壁紙を通して見えるようにしうる。上記のことに加えて、前記照明システム（前記照明システムに提供された液密コーティングを含む）は、好ましくは、前記壁紙ペーストからの液体が可能な限り小さい障害で前記壁を通過することを可能にするように可能な限り多くの場所において切開される。
【００２０】
代わりに又は加えて、前記補助層は、平滑化層を有する。このようにして、平らな壁又は天井が、前記照明システムの存在にもかかわらず得られることができる。
【００２１】
代わりに又は加えて、前記補助層は、引っかき抵抗層のような保護層を有する。前記照明システムは、引っかきで傷つきやすい部分を有しうるので、このような部分は、引っかき抵抗層で保護されることができる。特に石膏が前記照明システムに使用される場合、このような引っかき抵抗層は、有益でありうる。
【００２２】
加えて又は代わりに、前記補助層は、防水層、例えば撥水層のような液密層を有することができる。水ベースの接着剤を使用する場合、又は石膏を使用する場合、水は、前記照明システム内に貫通することができ、結果として短絡回路及び／又は錆形成を生じうる。したがって、一実施例において、防水層は、前記照明システムの少なくとも一部に使用されることができる。前記被覆材料を取り付けるのに水ベースの接着剤と組み合わせて、照明システムに対する補助層として防水層を使用する場合、前記接着剤が良好に乾燥することを保証するように措置が取られなくてはならないかもしれない。このような措置は、液体輸送層の使用に関連して以前に既に論じられている。
【００２３】
前記補助層が、１以上の光源の上に配置される場合、前記補助層は、透過性であるように選択されることができる。例えば、透過性ホイル又は透過性接着剤が、使用されうる。前記補助層は、前記光源（及び／又は照明システム）上でこれ自体を成形するように塑性的に変形することができるように選択されることもできる。
【００２４】
前記補助層は、前記光源（又は少なくともその発光面）が前記補助層を持たないように構成されることもできる。例えば、前記補助層は、１以上の光源からの光が通って移動することを可能にするように配置された１以上の孔を有することができる。
【００２５】
不所望な光学的アーチファクトは、前記補助層の孔が光源及び付加的な電気部品を収容するために比較的大きい場合に生じうる。光源からの光は、孔の中を移動することができるので、前記孔が大きいほど、前記孔の中に配置される光源の光スポットが大きくなる。このような不所望な光学的アーチファクトが生じることを防ぐために、前記補助層内の開口は、光源が存在しない領域において不透明な材料で充填されることができる。不透明材料で比較的大きな孔を充填する付加的な利点は、人々が前記被覆構成に触れる場合にもはや前記孔を感じることができないように平滑化を提供することである。更に、これは、前記孔の中に存在する部品に対する付加的な保護、例えば物体が前記壁又は天井にぶつかる場合の衝撃からの保護を提供する。
【００２６】
代わりに、前記光源は、前記付加的な電気部品から特定の距離に配置されてもよい。例えば、光源及び付加的な電気部品の両方にフィットするように補助層内により大きな孔を作成する必要が無いように、前記光源及び付加的な電気部品が常に３ｍｍの距離だけ離れている回路基板を使用することができる。
【００２７】
付加的な電気部品は、壁又は天井において、前記照明システムの前記光源を有する部分の後ろに配置される区画に設けられることもできる。
【００２８】
本発明の第１の態様による壁又は天井被覆構成を用いると、実質的に従来技術の壁又は天井被覆製造プロセスに基づいて、（前記被覆材料の後ろにある）前記照明システム自体は見えないが光を提供するオプションをも提供する、丈夫な壁又は天井被覆が、提供されることができる。したがって、前記壁又は天井被覆は、光を生成することができるが、前記被覆材料の後ろの前記光源は、可視でなくてもよい。好ましくは、透過率は、０．５％ないし３０％、例えば１％ないし２０％の範囲内である。特に、透過率は、１５％以下、例えば１０％以下、例えば１％ないし１０％又は１％ないし５％である。したがって、示された透過率範囲は、一方で前記被覆材料を通る十分な透過率を提供することができ、例えば、特に典型的なオフィス照明条件下で、従来技術のＬＥＤ、好ましくは半導体ＬＥＤを仮定して、照明効果を更に見えるようにするが、他方で、前記壁又は天井被覆材料の下の（例えば前記光源のような）素子（又は前記壁又は天井被覆の下の他の要素）の可視性を実質的に防ぐことができる。前記壁若しくは天井又は前記壁若しくは天井被覆の下の他の要素の可視性は、前記光源（又は電気配線、反射ホイル、詰め物のような他の要素）がもはや隠されることができないので、特に望ましいことができない。ここに示される原理は、"ハイドライト（hide light）"として示されることもでき、前記光源は、隠され、前記壁又は天井被覆のユーザに可視ではないことができるが、これにより発生される光は、前記ユーザに可視である。
【００２９】
この発明の追加の利点は、前記被覆材料が、下にある前記照明システムを保護しているということでありうる。加えて、これは、前記照明システムに対して保護ハウジングを使用する必要性を取り除くことができ、これは、前記照明システムをより安価に製造できるようにすることができる。例えば、ビニル壁紙の使用は、前記照明システムに対して防水エンクロージャを提供することができる。
【００３０】
透過率又は光透過性は、前記材料に対して第１の強度で特定の波長における光を提供し、前記材料を透過した後に測定された当該波長における光の強度を、前記材料に対して当該特定の波長において提供された光の前記第１の強度に関連付けることにより決定されることができる（CRC Handbook of Chemistry and Physics, 69th edition, 1088-1989のE-208及びE-406を参照）。
【００３１】
前記裏側から前記ユーザ側に前記被覆材料を通って移動する光の透過率が測定される。前記裏側は、一般に前記壁又は天井に（オプションとして糊のような接着剤で）配置された前記被覆材料の部分である。前記ユーザ側は、前側であり、前記被覆材料が壁又は天井を覆う壁又は天井として配置される場合にユーザに可視である側である。上面又はユーザ側の光の下流の強度は、前記被覆材料の光の上流、すなわち前記裏側における強度に関連付けられる。透過率を決定するための前記裏側で発せられた光は、好ましくは、垂直入射で前記裏側に向けられ、前記壁又は天井被覆の他方の側における合計積分光放射が、測定される。
【００３２】
このような壁又は天井被覆構成は、リビングルーム、キッチン、ベッドルーム、プレイルーム、マッドルーム、ランドリルーム、通路、店舗、室内トレーニング領域、ガレージ、オフィス、学校、ホテル、図書館、病院、輸送車両（電車、ボート等）等のようなほとんど如何なるタイプの部屋又は領域において使用されてもよい。
【００３３】
フレーズ"壁又は天井"のここでの使用は、領域又は部屋において、壁被覆構成及び天井被覆構成の両方又は一方のみが利用可能であることを含みうる。
【００３４】
このような壁又は天井被覆構成は、したがって、壁又は天井照明、すなわち（前記照明システムの１以上の光源がオンに切り替えられる場合に）前記被覆材料から発する光を提供するのに使用されることができる。前記壁又は天井被覆の照明は、部屋又は領域を照らすのに使用されることができるが、機能的又は装飾的な照明として使用されることもできる。前記照明は、代わりに又は加えて、コマーシャル情報（商標、商標名、価格等）のような情報、（時間、温度、日付のような）他の情報、及び店舗、部屋、入り口、出口又は領域を見つけるための方向のような道発見情報を提供するのに使用されてもよい。特に、前記壁又は天井被覆は、緊急道発見を提供するのに使用されることもできる。したがって、本発明は、道案内、特に緊急道案内に対しても、ここに記載される壁又は天井被覆構成を提供する。したがって、このような壁又は天井被覆構成は、一実施例において、光で情報を提供する、すなわち、特に（矢印等のような）前記壁又は天井における照明パターンを作成するように使用されることもできる。
【００３５】
一実施例において、前記被覆材料は、タイル、パネル又は（壁紙）シートのような複数の独立したユニットを有してもよい。ユニットの使用は、光源が置換、修復又は除去される必要がありうる場合に、関連するユニットのみが（一時的に）除去されなくてはならないので、有利でありうる。一般に、前記ユニットは、閉じた壁又は天井被覆が得られるように互いに隣接して配置される。更に、前記照明システムは、複数の照明ユニットを有することができ、前記壁又は天井被覆構成は、前記照明システムを制御するコントローラを更に有することができる。これは、光源を配置する場所の自由度を提供することができ、材料の使用を減少させることができる。
【００３６】
前記壁又は天井被覆構成は、前記照明システム、特に前記照明システムの個別の光源を制御するコントローラを更に有してもよく、前記コントローラは、前記壁又は天井被覆構成の外部に配置されてもよいが、前記壁又は天井被覆構成内に一体化されてもよい。前記壁又は天井被覆構成が複数の照明ユニットを有する実施例において、前記壁又は天井被覆構成は、１以上のコントローラを有しうる。一般に、１つの中央コントローラが存在し、ここで更に"コントローラ"として示される。より大きな壁又は天井領域に対して、オプションとして複数の独立した又は従属するコントローラが、使用されてもよい。したがって、一実施例において、前記壁又は天井被覆構成は、前記照明システムを制御するコントローラを更に有し、すなわち、前記コントローラは、前記照明システムにより発生される光を制御する。このようにして、例えば、特定の方向を示す矢印又はコマーシャル情報のような情報も、提供されることができる。前記光の色、オン／オフ状態、強度、パターン形状及び情報内容の１以上が、可変であってもよく、前記コントローラにより制御されることができる。コントローラは、前記照明ユニット内に一体化されてもよい。例えば、各基板（又は照明ユニット）上にコントローラを持つことにより、異なる基板は、互いに通信し、例えばオン／オフ状態等を決定することができる。
【００３７】
更に、前記壁又は天井被覆構成は、センサを有してもよく、前記コントローラは、前記センサのセンサ信号に応答して前記照明システムの光を制御する。したがって、一実施例において、前記光の色、オン／オフ状態、強度、パターン形状及び情報内容の１以上は、（タッチ又はアプローチセンサのような）センサのセンサ信号に依存することができ、前記センサは、前記被覆材料の上の又は近傍における対象を感知し、前記コントローラは、前記センサ信号に依存して前記光の色、オン／オフ状態、強度、パターン形状及び情報内容の１以上を制御する。したがって、他の実施例において、前記壁又は天井被覆構成は、タッチ又はアプローチセンサのようなセンサを更に有し、前記センサは、前記壁又は天井被覆構成の外側に配置されてもよいが、前記壁又は天井被覆構成内に一体化されてもよい。
【００３８】
本発明の他の態様によると、本発明の第１の態様による壁又は天井被覆構成において使用する照明システムが、提供される。
【００３９】
前記照明システムは、１以上の照明ユニット、及び例えば電気接続ケーブル等を有することができる。前記照明システムは、特に、２ないし１００，０００、例えば２ないし１０，０００、例えば４ないし３００、たとえば１６ないし２５６の照明ユニットを有することができる。一般に、前記照明システムは、前記壁又は天井被覆構成が使用される面積に依存して、複数の照明ユニットを有する。前記照明ユニットは、隣接していてもよく、又は互いから非ゼロの距離に配置されてもよい。前記照明ユニットは、独立に又は依存して電力供給されてもよい。前記照明ユニットは、例えば、電気的に相互接続されてもよい。コントローラ（以下を参照）は、独立に１以上の照明ユニットを制御することができる。前記コントローラは、１以上の光源を独立に制御することもできる。例えば、オフィス内の１０メートルの廊下は、１０の照明ユニットと対応する１０のタイルを有してもよく、各照明ユニットは、例えば矢印の輪郭を描く、約２０ないし８０の単色ＬＥＤを有する。
【００４０】
照明ユニットは、一般に、１以上の光源を有する。前記１以上の光源は、小さな白熱ランプ又は（光をファイバから逃がすように構成され、この実施例が比較的安価であるという利点を持つ）ファイバ先端又はファイバ不規則のような如何なる光源を有してもよいが、特に、エレクトロルミネセント光源、例えばＬＥＤのような電気的にアドレス可能な光源を有してもよい（以下を参照）。したがって、前記照明システムは、複数のＬＥＤを有してもよい。一般に、前記照明システムは、２ないし１０，０００ＬＥＤ／ｍ2、特に２５ないし２，５００ＬＥＤ／ｍ2を有することができる。ＬＥＤを使用する特定の利点は、前記ＬＥＤが比較的小さく、これにより基板内の凹所に良好にフィットすることができることである（以下を参照）。１ｍｍより下の前記照明システムの合計の厚さが好ましく、これは、ＬＥＤでのみ達成されることができる。用語ＬＥＤは、無機ＬＥＤ又は有機ＬＥＤ（ＯＬＥＤ）を示すことができるが、特に、半導体照明を示す。他に示されない限り、用語ＬＥＤは、ここでは、更に、半導体ＬＥＤを示す。特に、前記光源は、複数の光源を有する照明システムの一部である。
【００４１】
代わりに、前記光源は、前記被覆材料を通る周辺光により励起されることができるフォトルミネセント材料を有するフォトルミネセント光源であってもよい。ＬＥＤは、フォトルミネセント材料より高い光出力を持ちうるが、フォトルミネセント材料を使用する利点は、動作するのに電気を必要としないことである。結果的に、フォトルミネセント光源を使用する場合、前記照明システムは、電力供給システムより信頼できる。前記フォトルミネセント材料は、好ましくは、励起光源としての周辺光の不在時でさえ、例えば二時間だけ、光を発し続けるリン光性材料である。フォトルミネセント光源を使用する場合、前記照明システムの所望の光出力は、前記フォトルミネセント光源の発光面積を調整することにより得られることができる。前記フォトルミネセント光源は、被覆層の後ろに隠されるので、前記発光面積のスケーリングは、前記照明システムの美的感覚に対して問題ではない。
【００４２】
前記照明システムが、前記被覆材料により少なくとも部分的に囲まれることができることに注意する。例えば、前記照明システムは、部分的に前記被覆層を貫通することができる。例えば、石膏は、部分的に前記照明システムの周りに広がることができる。
【００４３】
前記光源としての半導体ＬＥＤは、小さな寸法のため、特に望ましい。従来技術のこのような光源は、１ｍｍより小さい厚さ、（プリント回路基板のような０．５ｍｍないし１ｍｍの厚さの支持構造を除いて）約０．２ｍｍ又はそれより小さい範囲であることができる。（例えば支持構造を含む合計１ｍｍの厚さを持つ）このような光源を壁又は天井に配置する場合に、前記被覆材料は、前記被覆材料の（局所的な）表面高度に対する前記光源（の存在）の実質的な影響なしで前記光源上に配置されることができる。
【００４４】
好ましくは、前記光源の合計高度、及び更に好ましくは前記照明システムの合計高度は、最大で１ｍｍであり、好ましくは約０．７ｍｍ以下、特に０．５ｍｍ以下、例えば０．２ｍｍないし０．４ｍｍ、例えば０．３ｍｍである。
【００４５】
前記照明システムは、好ましくは、可能な限り薄くされ、好ましくは非常に平坦であり、そうでなければ前記照明システムの輪郭は、前記被覆層を通して見えるかもしれない。平坦性は、例えば、ここに記載された平滑化層により達成されてもよい。しかしながら、（より）厚いシステムが、使用されてもよいが、特に、この場合、平滑化が必要でありうる。例えば、セメント又は他の充填材が、照明ユニットの間のギャップを充填するように前記壁又は天井に使用されることができ、これにより、平滑化層が提供される。
【００４６】
それにもかかわらず、前記被覆材料の下の光源の存在を考慮に入れて、前記照明システムを平滑化することができる手段を含めることが好ましいかもしれない。
【００４７】
一実施例において、前記照明システムは、前記照明システムが取り付けられる壁又は天井の表面に向かって次第に細く又は狭くなる縁である楔形の縁を有する。前記楔形の縁は、前記壁又は天井に隣接する第１の面と、前記被覆材料に隣接する第２の面とを持つと特徴づけられることができ、前記第１の面及び前記第２の面は、角度φを囲み、前記角度φは、６度より小さく、より好ましくは１．５度より小さく、例えば１．１度である。換言すると、前記楔形の縁が前記表面に向かって次第に狭くなる距離は、前記照明システムの厚さの少なくとも１０倍の大きさである。このような楔形の縁を持つことにより、前記照明システムは、前記被覆材料を通した減少した可視性を持つ。
【００４８】
一実施例において、前記照明システムは、前記被覆材料に面する上側及び前記壁又は天井に面する裏側を持ち、前記上側は、接着促進特性を持ち、好ましくは、前記上側の少なくとも一部は、前記照明システムに対する前記被覆材料の接着を促進するように粗い。
【００４９】
加えて又は代わりに、前記上側において、前記照明システムは、接着層、平滑化層及び保護層からなるグループから選択された１以上の補助層を有することができる。このような接着層は、本発明の第１の態様による壁又は天井被覆構成に関連して既に上に記載されている。前記補助層は、プラスチック、フェルト、ＰＣＢ材料（すなわちポリテトラフルオロエチレン又はＦＲ−４等のような絶縁材料）又は他の材料を有することができる。
【００５０】
特に前記照明システムがプリント回路基板上に設けられた１以上の光源を有する場合、前記１以上の補助層は、好ましくは、液密保護層を有し、前記照明システムは、前記プリント回路基板から背を向けた前記液密保護層の側において液体輸送層を更に有する。
【００５１】
前記照明システムは、前記被覆材料が水ベースの接着層を用いて取り付けられるべきである壁又は天井被覆構成において使用されるべきである場合、及び前記照明システムが、補助層として液密保護層を持つ場合、前記水ベースの接着層が良好に乾くことを保証する方策が取られなければならないかもしれない。このような方策は、本発明の第１の態様による壁又は天井被覆構成における液体輸送層の使用に関連して既に以前に論じられており、同じ利点がここで当てはまる。
【００５２】
他の実施例において、前記照明システムは、１以上の光源と、前記１以上の光源を収容する１以上の空洞又は凹所を持つ基板とを有する。前記１以上の光源は、それぞれ、前記１以上の空洞又は凹所に部分的に又は完全に埋め込まれることができる。前記１以上の光源及び／又は他の電気部品（例えば電気接続部、抵抗、トランジスタ、電源、コントローラ）が、１以上の空洞又は凹所に収容される場合、実質的に平らな照明システムが得られることができる。
【００５３】
基板の特定の例は、プリント回路基板（ＰＣＢ）である。前記照明システムの前記光源及び／又は他の（電子）部品は、前記ＰＣＢの平滑化層に埋め込まれることができる。この平滑化層は、特に（また）、ＰＣＢ材料でありうる。前記平滑化層は、前記照明システムの１以上の部分、特に前記光源が、配置されることができる開口又は凹所を有することができる。平滑化層を持つこのような基板は、ＰＣＢラミネートのようなラミネートであると見なされることができる。平滑化層としてＰＣＢ材料を使用する利点は、凹所構造が、ＰＣＢラミネートの製造プロセスにおいて製造されることができることである。
【００５４】
ＰＣＢにおける導電層は、典型的には、薄い銅ホイルからなる。絶縁層（誘電体）は、典型的には、エポキシ樹脂プリプレグと一緒にラミネートされる。誘電体は、例えば、ポリテトラフルオロエチレン、ＦＲ−４、ＦＲ−１、ＣＥＭ−１又はＣＥＭ−３からなるグループから選択されることができる。ＰＣＢ産業において使用される周知のプリプレグ材料は、ＦＲ−２（フェノールコットン紙）、ＦＲ−３（コットン紙及びエポキシ）、ＦＲ−４（編まれたガラス及びエポキシ）、ＦＲ−５（編まれたガラス及びエポキシ）、ＦＲ−６（マットガラス及びポリエステル）、Ｇ−１０（編まれたガラス及びエポキシ）、ＣＥＭ−１（コットン紙及びエポキシ）、ＣＥＭ−２（コットン紙及びエポキシ）、ＣＥＭ−３（編まれたガラス及びエポキシ）、ＣＥＭ−４（編まれたガラス及びエポキシ）、ＣＥＭ−５（編まれたガラス及びポリエステル）である。
【００５５】
一実施例において、前記照明システムは、前記照明システムを有する前記壁又は天井被覆構成により覆われた壁又は天井が開口を通して露出されるように前記照明システム全体を通る開口を有する。このアプローチの利点は、前記被覆材料が壁又は天井に直接的に付着することができるので、補助接着層が必要でなくてもよいことである。これらの開口の輪郭が前記被覆材料を通って可視であることを防ぐように、非常に薄い照明システムを持つ、又は例えば石膏を有する被覆材料のように、高度差に対する感受性が低い被覆材料層と組み合わせて前記照明システムを使用することが好ましい。
【００５６】
本発明の他の態様によると、前記壁又は天井被覆構成又はこのような壁又は天井被覆構成において使用する前記照明システムは、センサ及びコントローラと組み合わせて設けられ、前記センサは、前記センサがアプローチ又はタッチされるセンサ信号を提供し、前記コントローラは、それぞれ、前記壁又は天井被覆構成又は前記照明システムの照明パラメータ（例えば１以上の色、色分布、光強度、光強度分布、点滅周波数等）、前記光のパターン形状、及び前記光により提供された情報内容からなるグループから選択された１以上のパラメータを制御する。パターン又は情報は、一般に、複数の光源により提供される。
【００５７】
本発明の他の態様によると、ユーザ側及び反対の裏側を持ち、０．５％ないし３０％の範囲、特に１％ないし２０％の範囲の光に対する光透過率を持つ被覆材料が、これ自体、提供される（上記を参照）。特に、前記被覆材料は、壁紙、特にビニル壁紙及びガラス繊維壁紙の１以上からなるグループから選択された材料を有する。
【００５８】
本発明の他の態様によると、パネル、シート又はタイル、特にユーザ側及び反対の裏側を持ち、０．５％ないし３０％の範囲、特に１％ないし２０％の範囲の光に対する光透過率を持つ壁紙シートのようなパネル又はシートのような被覆ユニットが、提供される（上記を参照）。一実施例において、前記被覆材料は、前記被覆ユニットの裏側に配置された照明ユニットを更に有してもよく、前記被覆ユニット及び前記照明ユニットは、一体化される。このようなユニットは、照明特性及び被覆特性を１つのユニットにおいて有利に組み合わせる１つのユニットとして使用されることができる。このようなユニットは、１回のアクションで交換されることができる。
【００５９】
本発明の他の態様によると、本発明の第１の態様による壁又は天井被覆構成の使用が、提供され、前記使用は、道発見である。
【００６０】
本発明の他の態様によると、本発明の第１の態様による壁又は天井被覆構成を有する道案内システムが、提供される。前記道案内システムは、緊急出口発見システムでありうる。
【００６１】
本発明の他の態様によると、本発明の第１の態様による壁又は天井被覆構成を提供する方法が、提供され、前記方法は、照明システムを壁又は天井に配置するステップと、オプションとして前記照明システムの少なくとも一部に補助層を配置するステップと、オプションとして複数のタイルの形で、前記照明システム上に前記被覆材料を配置するステップとを有する。
【００６２】
特に、前記方法は、前記壁又は天井に照明システムを配置するステップと、前記照明システム上に被覆材料を配置するステップとを有する。オプションとして、前記照明システム又は前記照明システムのケーブル等のような要素が、前記壁又は天井の凹所内に配置されることができる。したがって、特定の実施例において、前記方法は、前記壁又は天井に１以上の凹所を設けるステップと、前記１以上の凹所内に前記照明システムを配置するステップとを有する。
【００６３】
前記壁が、前記照明システムの付着後に平坦でない（なさすぎる）場合、前記壁を平滑化してもよい。したがって、特定の実施例において、前記方法は、前記壁又は天井に前記照明システムを配置するステップと、前記壁又は天井を平滑化するステップとをも有してもよい。平滑化は、前記壁の少なくとも一部及び／又は前記照明システムの少なくとも一部に１以上の層を加えることにより行われることができる。例えば、照明システムの間の空いている部分は、前記照明システムと実質的に同じ高さまで平滑化されることができる。したがって、前記壁又は天井が空いている表面を有する実施例において、前記方法は、前記空いている表面の少なくとも一部に平滑化材料を加えるステップを更に有することができる。平滑化材料は、例えば、（不活性）層であってもよいが、接着剤であってもよい。平滑化材料は、例えばセメント又は他の同様の壁平滑化材料であってもよい。平滑化材料を提供することにより、不均一性は、実質的に取り除かれることができる。
【００６４】
被覆構成が加えられた壁又は天井を仮定すると、好ましくは、前記被覆構成は、それぞれ、前記壁又は天井の合計面積の少なくとも５０％、例えば少なくとも８０％、特に少なくとも９５％に適用される。他の実施例において、（壁又は天井の）前記被覆構成は、少なくとも２ｍ2、例えば少なくとも４ｍ2、特に少なくとも１０ｍ2の範囲、例えば２ｍ2ないし１０００ｍ2、例えば１０ｍ2ないし１０００ｍ2の範囲のユーザ側面積を持つ。このようなユーザ側面積は、一実施例において、好ましくは、前記被覆材料の部分の間の実質的な開口なしで、１つの一体の領域が存在するという意味で、閉じた領域である。被覆ユニットが加えられる場合、隣接したユニットの間の距離（シーム）は、好ましくは、約２０ｍｍより小さく、特に約１０ｍｍより小さく、更に特別には約５ｍｍより小さく、好ましくは約１ｍｍより小さく、特に約０．５ｍｍより小さい。
【００６５】
"下"、"上"、"上部"及び"下部"のような用語は、前記壁又は天井被覆構成／被覆材料（又はタイル）が、（壁におけるタイル又は壁又は天井における石膏のような）通常のエンドユーザ位置に配置される場合に得られるアイテムの位置又は配置に関する。しかしながら、これは、壁に対するような他の構成、又は他の（縦の）構成における前記壁又は天井被覆構成の使用を除外しない。
【００６６】
用語"上流"及び"下流"は、光発生手段（ここでは前記照明システム、特にＬＥＤのような前記光源）からの光の伝搬に対するアイテム又はフィーチャの配置に関し、前記光発生手段からの光のビーム内の第１の位置に比較して、前記光発生手段により近い光のビーム内の第２の位置は"上流"であり、前記光発生手段から更に離れた前記光のビーム内の第３の位置は"下流"である。
【００６７】
本発明の実施例は、対応する参照シンボルが対応する部分を示す添付の概略的な図面を参照して、例としてのみ、ここに記載される。
【図面の簡単な説明】
【００６８】
【図１】本発明による壁及び天井被覆構成の実施例を概略的に描く。
【図２ａ】本発明による壁又は天井被覆構成の実施例及び変形例を概略的に描く。
【図２ｂ】本発明による壁又は天井被覆構成の実施例及び変形例を概略的に描く。
【図２ｃ】本発明による壁又は天井被覆構成の実施例及び変形例を概略的に描く。
【図２ｄ】本発明による壁又は天井被覆構成の実施例及び変形例を概略的に描く。
【図２ｅ】本発明による壁又は天井被覆構成の実施例及び変形例を概略的に描く。
【図２ｆ】本発明による壁又は天井被覆構成の実施例及び変形例を概略的に描く。
【図２ｇ】本発明による壁又は天井被覆構成の実施例及び変形例を概略的に描く。
【図３ａ】本発明による壁又は天井被覆構成の実施例及び変形例を概略的に描く。
【図３ｂ】本発明による壁又は天井被覆構成の実施例及び変形例を概略的に描く。
【図４ａ】石膏及びＬＥＤを持つ壁（又は天井）被覆構成の一例を概略的に描く。
【図４ｂ】石膏及びＬＥＤを持つ壁（又は天井）被覆構成の一例を概略的に描く。
【図５】本発明による壁又は天井被覆構成の実施例及び変形例を概略的に描く。
【図６】本発明による壁又は天井被覆構成の他の実施例を概略的に描く。
【発明を実施するための形態】
【００６９】
図１は、壁又は天井被覆構成１０の一実施例を概略的に描く。壁又は天井被覆構成１０は、被覆材料１００及び光２１０を発生する照明システム２００を有する。
【００７０】
ここで、この種の壁被覆構成は、参照番号１１５により示され、この種の天井被覆構成は、参照番号１１６で示される。
【００７１】
例として、部屋１は、壁５０、天井６０、及び床８０を持つ。壁５０は、図１の左側の壁５０の実質的に全面５１に適用される壁被覆構成１１５を設けられる。更に、例として、天井６０は、天井６０の実質的に全面６１に適用される天井被覆構成１１６を設けられる。
【００７２】
例えば壁紙又は石膏であることができる被覆材料１００は、ユーザ側１０１及び反対の裏側１０２を持つ。照明システム２００は、上側２０１及び下側２０２を持つ。照明システム２００は、被覆材料１００の裏側１０２に配置される。図１に見られることができるように、照明システム２００の上側２０１及び壁又は天井被覆１００の裏側１０２は、互いに向き合っている。裏側１０２は、照射側として示されることもできる。この実施例における照明システム２００は、ＬＥＤのような複数の光源２０５を有する。照明システム２００は、（オンに切り替えられる場合に）光２１０を発生する。この実施例において、照明システム２００は、１つの照明ユニット２５０を有し（すなわち前記照明ユニットが前記照明システムである）、一般に、照明システム２００は、複数の照明ユニット２５０を有してもよい（以下を参照）。照明システム２００は、（"Ｖ"で示される）外部電源により電力供給されることができる。
【００７３】
被覆材料１００は、照明システム２００により発生される光２１０に対して、０．５％ないし３０％の範囲、特に１％ないし２０％の範囲の光透過率を持つ。このようにして、被覆材料１００のユーザ側１０１を知覚する観察者／ユーザは、本質的に照明システム２００又は被覆材料１００の裏側１０２の後ろの他のアイテムを見ない。前記観察者は、被覆材料１００を"通常の"被覆材料１００として観察する。しかしながら、照明システム２００が光２１０を提供する場合、この光２１０は、前記観察者により観察される。光源は隠されており、前記光自体は知覚される。
【００７４】
本発明は、被覆材料１００自体をも対象とし、被覆材料１００は、（したがって）ユーザ側１０１及び反対の裏側１０２を持ち、光２１０に対して、０．５％ないし３０％の範囲、特に１％ないし２０％の範囲の光透過率を持つ。
【００７５】
被覆材料１００は、例えば、石膏、塗料、セラミックタイル、紙、木、プラスチック、布地及びビニル、特に石膏、スタッコ石膏、合成樹脂石膏、粗い石膏、石灰石膏及びベネチア石膏、並びに壁紙、特にビニル壁紙及びガラス繊維壁紙の１以上からなるグループから選択されることができる。
【００７６】
照明システム２００は、一般に、参照番号２０３で示される基板又はサポートを有し、基板又はサポート２０３は、光源２１０を有する。例えば、サポート２０３は、プリント回路基板（ＰＣＢ）であることができる。このようなＰＣＢに対して、ＬＥＤが設けられることができる。
【００７７】
図２ａないし２ｃは、例えば照明システム２００を平らにする又は平滑化する、補助層を持つ非限定的な手段／実施例を概略的に描く。これらの実施例は、被覆材料１００と照明システム２００の少なくとも一部との間に配置された補助層５００を示す。図２ａにおいて、補助層５００は、実質的に光源２０５の間にのみ存在し、光源２０５上には存在しない。図２ａは、断面を概略的に描く。図２ａに関して用語"下流"及び"上流"を説明すると、ユーザ側１０１が、裏側１０２の下流であり、裏側１０２は、ユーザ側１０１の上流である。図２ｂは、被覆材料１００なしの図２ａの実施例の上面図を概略的に描く。補助層５００が、光源２０５に対して、参照番号５０３で示される、開口を持つことは、明らかに見られることができる。したがって、照明システム２００は、補助層５００が、光２１０が被覆材料１００の方向に移動することを可能にする開口５０３を持つので、補助層５００の実質的な吸収なしに、光２１０を提供することができる。補助層５００は、例えば、開口を持つＰＣＢ層で作成されることができる（以下を参照）。したがって、前記平滑化層は、一実施例において、ＰＣＢ材料で作成されることができる。
【００７８】
図２ｃは、補助層５００が光源２０５上にも配置された実施例を概略的に描く。前記補助層は、照明システム２００の光２１０に対して透過性であるように選択されることができる。
【００７９】
補助層５００は、照明システム２００の一部であることができ、すなわち、照明システム２００に取り付けられた層であることができる。例えば、これは、補助層５００及び（ＰＣＢのような）サポート２０３のラミネートであることができる。
【００８０】
前記補助層は、例えば、接着、平滑化、防水、撥水、引っかき抵抗等からなるグループから選択された１以上の特性を持つことができる。
【００８１】
図２ｄは、照明システム２００の幾つかのパラメータを説明するのに使用される。前記照明システムの合計高度は、ｈ２で示され、サポート２０３の高度はｈ１で示され、光源２１０の高度は、照明システム２００（又はサポート２０３）の上側２０１から突き出している場合、ｈ３で示され、すなわち、ｈ２＝ｈ３＋ｈ１である。合計高度ｈ２は、例えば、約１ｍｍの範囲内でありうる。
【００８２】
図２ｅは、前記壁又は天井、ここでは例として壁５０が、参照番号７０で示される１以上の凹所を有し、１以上のユニット及び／又は電気ケーブルのような照明システム２００の少なくとも一部が配置されることができる実施例を概略的に描く。このようにして、照明システム２００の一部又は全体が、部分的に又は完全に収容されることができる。これにより、実質的に平坦な壁表面５１（又は天井表面６１）が、提供されることができる。描かれた例において、２つの光源２０５を持つ照明ユニット２５０は、凹所７０の１つに完全に収容される。
【００８３】
図２ｅは、壁（又は天井）の断面を概略的に描くことができるのに対し、図２ｆは、正面図を概略的に描く。例として、この例において凹所７０に収容される電気ケーブル又は接続部２５１も示される。したがって、図２ｅは、（ここで例として４つの照明ユニット２５０（及びケーブル２５１等）を有する）実質的に全体的な照明システム２００は、凹所７０に少なくとも部分的に収容される。このようにして、被覆材料は、前記壁又は天井の実質的に平坦な表面に設けられることができる。
【００８４】
図２ｇは、図２ａに概略的に描かれた照明システム２００の特定の変形例を描く。照明システム２００は、特にＰＣＢである、基板２０３を有する。照明システム２００の光源２０３及び／又は他の（電子）部品は、凹所２０４（これらの凹所２０４は開口５０３として示されることもできる）において、（補助層５００として示される）平滑化層に埋め込まれる。このようにして、平坦な照明システム２００が、提供されることができる。前記平滑化層は、前記ＰＣＢ基板にラミネートされたＰＣＢ材料であることもできる。したがって、このようにして、特に１以上の光源２０５を収容する、１以上の凹所２０４を持つＰＣＢが、得られることができる。１以上の凹所２０４は、１以上の光源２０５及び／又は電気接続部、電源、コントローラ等のような１以上の他の電気部品を収容することができる。図２ｆに概略的に描かれた照明ユニット２５０は、ラミネートと見なされることができる。
【００８５】
図３ａは、被覆材料１００が、壁紙シートのような複数の独立したユニット１５０を有する実施例を概略的に描く。図３ｂは、照明システム２００が複数の照明ユニット２５０を有する実施例を概略的に描く。図３ｂは、例として、（隣接した）照明ユニット２５０の間の（オプションの）電気接続部２５１をも示す。壁又は天井被覆構成１００が、複数の独立したユニット１５０及び複数の照明ユニット２５０を有することもできることに注意する。一実施例において、独立したユニット１５０の数は、照明ユニット２５０の数より大きいことがありうる。このような実施例において、照明ユニット２５０が隣接することができない場合、補助層は、照明ユニット２５０の間に配置されることができる。ユニットは、例えば、１ｃｍないし５０ｃｍの長さ及び幅、並びに０．１ｍｍないし１ｍｍの高さのような寸法を持つことができる。
【００８６】
図４ａないし４ｂは、石膏の後ろにＬＥＤを持つ石膏壁の一例を示す。図４ａは、ここでは例として情報（例えば道発見）をも伝える前記壁から抜け出す光を示す。図４ｂは、オフ状態における前記照明システム（又はユニット）を示し、前記壁は通常の壁として知覚され、前記照明システムは見えない。
【００８７】
この実施例は、ユーザ／観察者が、光がオフに切り換えられる場合に前記壁（又は天井）を通常の壁（又は天井）として観察するのに対し、光がオンに切り替えられる場合に、前記観察者／ユーザが、前記壁（又は天井）から発する光を見ることができることを示す。
【００８８】
図５は、照明システム２００、より正確には照明システム２００により発生されることができる光２１０を制御するコントローラ３００を更に有する壁又は天井被覆構成１０（ここでは例として再び壁被覆構成１１５及び天井被覆構成１１６の両方）の実施例を概略的に描く。コントローラ３００は、前記照明システムの外部に配置されてもよいが、照明システム２００に一体化されてもよい。コントローラ３００は、１以上の光源２０５を制御する。オプションとして、壁又は天井被覆構成１０は、センサ４００を更に有することができる。コントローラ３００は、この場合、センサ４００のセンサ信号に応答して照明システム２００の光２１０を制御することができる。用語"センサ"は、複数のセンサに関することもできる。このような複数のセンサは、例えば、異なる場所における同じパラメータ（例えばユーザのタッチ）を感知する、又は異なるパラメータ（例えばユーザのタッチ及び煙）を感知することができる。
【００８９】
壁又は天井被覆構成１０は、装飾パターンを示すのに使用されることができるが、例えば矢印のような情報、コマーシャル情報等を含む光パターンを提供することにより、情報を提供するのに使用されることもできる（上記を参照）。
【００９０】
被覆材料の部屋１（すなわちユーザ側１０１）の中の人は、好ましくは、（オフ状態の場合に）照明システム２００を見ることができない。これは、特に、多くとも約１５％、好ましくは多くとも約１０％、例えば５％以下の比較的低い透過率によって達成されることができる。
【００９１】
他の実施例において、壁又は天井被覆構成１０は、緊急の場合に作動されることができる緊急避難経路照明システムを作るのに使用される。この実施例は、前記壁又は天井に配置された壁又は天井被覆構成１０を有する。壁又は天井被覆構成１０は、オプションとして互いに接続されることができる、複数の光源２０５を有することができる。光透過被覆材料１００は、照明システム２００を覆うのに使用される。照明システム２００は、例えば、光スポットの形状の光２１０を発生することができるが、避難のために右方向を指す矢印の形状であることもできる。この矢印は、前記矢印の方向が緊急事態の場所に依存して変更されることができるように可変にされることもできる。例えば、前記矢印は、火災の危険から離れるように指すことができる。矢印の代わりに、点滅する光も、方向を指すのに使用されることができる。このようにして、特定の方向を示す矢印、コマーシャル情報のような情報も提供されることができる。光２１０の色、パターン形状、オン／オフ状態、出力強度及び情報内容の１以上が、可変であってもよく、前記コントローラにより制御されることができる。
【００９２】
更に、光２１０の色、パターン形状及び情報内容の１以上が、（タッチ又はアプローチセンサ又は火災センサ又は煙センサ又は熱センサ等のような）センサ（図示されない）のセンサ信号に依存することができ、前記センサは、壁又は天井被覆構成１０における又は近傍における物体を感知し、又は煙及び熱からなるグループから選択されたフィーチャを感知し、コントローラ３００は、前記センサ信号に依存して光２１０の色、オン／オフ状態、強度、パターン形状及び情報内容の１以上を制御する。
【００９３】
オプションとして、コントローラ３００は、他の光源のような、参照番号６００で示される他の装置をも制御することができる。光２１０は、例えば、１以上のセンサ４００のセンサ信号に応答して制御されることができる。このようなセンサ４００の１以上は、例えば、（空間又は部屋における）光レベルを測定することができ、前記光レベルは、例えば、日光を含む他の光源の寄与を少なくとも部分的に受けることができる。
【００９４】
他の好適な実施例は、図６Ａ及び６Ｂに示される。これらの実施例において、照明システム９００が、壁９４０に設けられ（しかしこれは天井にも設けられることができる）、被覆材料９３０により覆われる。照明システム９００は、光源９２０を有し、楔形の縁９１０を持つ（図６Ａを参照）。照明システム９００は、取り付けられる壁９４０の表面に向かって次第に細くなる又は狭くなる縁９１０を持つことにより被覆材料９３０を通して減少された可視性を持つ。楔形の縁９１０は、壁９４０に隣接した楔形の縁９１０の面と被覆材料９３０に隣接する面との間に囲まれる角度φにより特徴づけられることができる。好ましくは、この角度φは、６度より小さく、より好ましくは１．５度より小さく、例えば１．１度である。これは、照明システム９００が１ｍｍの厚さＴを持つ場合に、照明システム９００の楔形の縁９１０が、好ましくは、１ｃｍより大きい、好ましくは４ｃｍより大きい、例えば５ｃｍの長さＬを持つことを意味する。図６Ｂに示されるように、前記楔形の縁は、紙層９１１、９１２、９１３及び９１４のスタックから作成されることができる。他の種類の液体輸送層は、同様の楔形の縁を提供するのに使用されることもできる。このようにして、前記楔形の縁は、前記被覆材料による前記照明システムの可視性を減少させるように機能するだけでなく、前記被覆材料を取り付けるのに使用される接着層、特に壁紙用糊のような水ベースの接着層の乾燥速度を向上させるようにも機能する。
【００９５】
本発明による壁又は天井構成は、バックアップ電源バッテリを収容する区画を更に有することができる。この区画は、前記壁又は天井構成の動作を確認する電子部品を含むこともできる。前記区画は、電源及び制御配線が前記照明システムに到達することができるようにする（ＰＶＣパイプのような）電気導管に接続されることができる。好ましくは、前記区画は、前記壁又は天井の表面において開いており、前記照明システムは、前記区画において電気配線と前記照明システムとの間で電気接続が作成された後に閉鎖するように前記区画上に取り付けられる。好ましくは、前記電気導管は、直接的に又は１以上の中間区画を介してのいずれかで電源が配置されることができる前記壁又は天井内の場所に導く。
【００９６】
前記照明システムの容易な除去及び交換に対して、本発明による壁又は天井構成は、前記照明システムの縁に沿って切られた被覆材料を有することができる。このようにして、前記照明システムは、前記被覆材料を除去する必要なしに除去されることができる。これは、例えば、前記照明システムを配置及び除去するのにプレスアンドリリースシステムを使用して容易化されることができる。
【００９７】
本発明による壁又は天井被覆構成は、建築物内の特定の場所に人々を案内するのに使用されることができる。例えば、これは、ＮＥＮ６０８８のような規格において規定される緊急出口サインとして使用されることができる。本発明による壁又は天井構成に基づく緊急出口サインの美的感覚は、ハウジングが見えない（しかしながら、緊急出口サインは通常は常に点灯されるので、光は常に可視のままでることができる）ので、既知の緊急出口サインと比較して強力に向上される。
【００９８】
本発明による壁又は天井被覆構成は、建築物内の特定の場所に人々を案内するインタラクティブシステムであることもできる。例えば、人は、建築物内の特定の場所に対応する無線周波数識別（ＲＦＩＤ）チップを持つバッジを受け取ることができる。この人は、前記バッジで壁に触れることができ、この後に、前記壁における矢印が、この人が歩くべき方向を示す。特定の時間期間（例えば２０秒）の後に、この道案内情報は、再び消える。この例において、ＲＦＩＤリーダは、本発明による壁被覆構成に設けられた壁内の区画の中に配置されることができる。スタンバイ動作中に、前記照明システムの１つの光源は、前記ＲＦＩＤリーダを保持する区画の上の場所においてオンに切り替えられることができる。前記ユーザのバッジが、この１つの光源の場所の上を通過される場合、近くの区画に配置された前記ＲＦＩＤリーダは、前記バッジ内の前記ＲＦＩＤチップを検出する。前記照明システム及び好ましくは他の近くの照明システムは、この場合、人が歩くべきである道を示す。特定の時間の後に、この情報は消え、前記ＲＦＩＤリーダの場所を示す光源が、再びオンに切り替えられる。前記被覆構成が、人が歩くべき方向を知ることができる複数の方法が存在する。一例において、前記ＲＦＩＤリーダと中央データシステムとの間のデータ接続が存在する。このデータ接続を使用して、前記ＲＦＩＤリーダは、検出されたＲＦＩＤチップに基づいて道発見情報を要求することができる。このアプローチの利点は、例えば１つの廊下が一時的に利用できない場合に、建築物を通る経路を変更するのが容易であることである。他の例において、前記ＲＦＩＤリーダは、検出されることができる全ての可能なＲＦＩＤチップに対して道発見情報が記憶されるメモリチップを含む。このアプローチの利点は、中央データシステムとのデータ接続が必要とされないことである。近くの照明システムをもオンにするために、照明システムの間にデータ接続が存在すべきである。これは、中央データシステムにより達成されてもよく、又はローカルに相互接続された照明システムを使用してローカルに達成されてもよい。バッジを検出するのにＲＦＩＤリーダを使用するのとは別に、他の適切な識別方法も使用されることができる。
【００９９】
"実質的な平坦な"又は"実質的に有する"等のような用語"実質的に"は、ここで、当業者により理解されるだろう。実施例において、形容詞"実質的な"は、除去されてもよい。適用可能である場合に、用語"実質的に"は、"全体的に"、"完全に"、"全て"等を持つ実施例をも含むことができる。適用可能である場合に、用語"実質的に"は、９０％以上、例えば９５％以上、特に９９％以上、更に特別には１００％を含む９９．５％以上に関することもできる。用語"有する"は、用語"有する"が"からなる"を意味する実施例をも含む。同様に、用語"約"は、適用可能である場合、１０％以下、又は５％以下、又は１％以下、又は０．５％以下、又は０．１％以下の偏差を示すことができ、一実施例において、（測定可能な）偏差が無いことを示すことができる。当業者に明らかであるように、数値からの小さな偏差は、適用可能である場合に、一般に許容されることができる。したがって、上記の"約"の定義における値を除き、数値は、適用可能である場合に、所定の値から１０％以下、又は５％以下、又は１％以下、又は０．５％以下、又は０．１％以下だけ逸脱してもよい。これを強調するために、ここで時々単語"約"が、数値の前に使用される。
【０１００】
更に、説明及び請求項における用語"第１の"、"第２の"及び"第３の"等は、同様の要素を区別するのに使用され、必ずしも順次的又は経時的順序を記載するのに使用されるわけではない。そのように使用された用語が、適切な環境下で交換可能であり、ここに記載された本発明の実施例が、ここに記載又は図示された順序とは他の順序で動作することができると理解されるべきである。
【０１０１】
ここで装置は、特に、動作中に記載される。当業者に明らかであるように、本発明は、動作の方法又は動作中の装置に限定されない。
【０１０２】
上述の実施例が、本発明を限定するのではなく説明し、当業者が、添付の請求項の範囲から逸脱することなしに多くの代替実施例を設計することができることに注意すべきである。請求項において、括弧間に配置された参照符号は、当該請求項を限定すると解釈されるべきでない。動詞"有する"及び活用形の使用は、請求項に記載されたもの以外の要素又はステップの存在を除外しない。要素に先行する冠詞"ある"は、複数のこのような要素の存在を除外しない。本発明は、複数の別個の要素を有するハードウェアを用いて、及び適切にプログラムされたコンピュータを用いて実施されることができる。複数の手段を列挙する装置請求項において、これらの手段の幾つかは、同一のハードウェアアイテムにより実施されてもよい。特定の方策が相互に異なる従属請求項に記載されているという単なる事実は、これらの方策の組み合わせが有利に使用されることができないことを示さない。
【図１】
2013506245.tif 000003
【図２ａ】
2013506245.tif 000004
【図２ｂ】
2013506245.tif 000005
【図２ｃ】
2013506245.tif 000006
【図２ｄ】
2013506245.tif 000007
【図２ｅ】
2013506245.tif 000008
【図２ｆ】
2013506245.tif 000009
【図２ｇ】
2013506245.tif 000010
【図３ａ】
2013506245.tif 000011
【図３ｂ】
2013506245.tif 000012
【図４ａ】
2013506245.tif 000013
【図４ｂ】
2013506245.tif 000014
【図５】
2013506245.tif 000015
【図６】
2013506245.tif 000016
【国際調査報告】
2013506245.tif 000017
2013506245.tif 000018
2013506245.tif 000019